(57)【要約】【目的】本発明は、被測定対象物上のパターンの線幅あるいは線間隔などを測定した測定値の良否を判定する測定値の判定方法に関し、画像撮影時の焦点合わせの不良による画像の不明瞭、更にチャージによる画像ドリフトによる画像の不明瞭などによる、パターンの線幅などの測定不良を自動判定することを目的とする。【構成】  被測定対象物上のパターンの信号強度分布を取得するステップと、取得した信号強度分布から当該パターンのエッジ位置を検出するステップと、取得した信号強度分布からパターンのエッジ部分のテーパ幅を検出するステップと、検出したテーパ幅が予め設定した所定範囲内のときに検出したエッジ位置をもとに算出した測定値が正しいと判定するステップとを有する。【選択図】        図１
2006170969.tif 000002
【特許請求の範囲】
【請求項１】
被測定対象物上のパターンの線幅あるいは線間隔などを測定した測定値の良否を判定する判定方法において、
被測定対象物上のパターンの信号強度分布を取得するステップと、
前記取得した信号強度分布から当該パターンのエッジ位置を検出するステップと、
前記取得した信号強度分布から当該パターンのエッジ部分のテーパ幅を検出するステップと、
前記検出したテーパ幅が予め設定した所定範囲内のときに前記検出したエッジ位置をもとに算出した測定値が正しいと判定し、一方、所定範囲外のときに前記検出したエッジ位置をもとに算出した測定値が不良と判定するステップと
を有する測定値の判定方法。
【請求項２】
前記テーパ幅は、前記信号強度分布のエッジ部分に対応する最大ピーク値Ｐ１と最小ピーク値Ｐ２との間の幅としたことを特徴とする請求項１記載の測定値の判定方法。
【請求項３】
前記テーパ幅は、前記信号強度分布のエッジ部分に対応する最大ピーク値Ｐ１と最小ピーク値Ｐ２の間に予め２つの閾値を設定し、当該２つの閾値の間の幅としたことを特徴とする請求項１記載の測定値の判定方法。
【請求項４】
前記パターンのエッジ位置として、前記信号強度分布のエッジ部分に対応する最大ピーク値Ｐ１と最小ピーク値Ｐ２との間の位置としたことを特徴とする請求項１から請求項３のいずれかに記載の測定値の判定方法。
【請求項５】
前記パターンのエッジ位置として、前記信号強度分布のエッジ部分に対応する最大ピーク値Ｐ１と最小ピーク値Ｐ２との間に予め２つの閾値を設定し、当該２つの閾値の間の位置としたことを特徴とする請求項１から請求項３のいずれかに記載の測定値の判定方法。
【請求項６】
前記パターンのエッジ位置として、前記信号強度分布のエッジ部分に対応する最大ピーク値Ｐ１と最小ピーク値Ｐ２との間の所定個数の値をもとに直線回帰法によってエッジ位置を求めたことを特徴とする請求項１から請求項３のいずれかに記載の測定値の判定方法。
【請求項７】
前記パターンの信号強度分布を、被測定対象物上のパターンから放射された２次電子を検出して生成した信号強度分布であることを特徴とする請求項１から請求項６のいずれかに記載の測定値の判定方法。
【請求項８】
前記エッジ位置をもとに算出したパターンの測定値、および前記テーパ幅あるいはスロープ値をもとに判定した測定値が正しいあるいは不良の判定を一緒に出力することを特徴とする請求項１から請求項７のいずれかに記載の測定値の判定方法。
【請求項９】
前記信号強度分布は、電子線スポットの走査によって得られた１本あるいは複数本の信号強度分布であることを特徴とする請求項１から請求項８のいずれかに記載の測定値の判定方法。
【請求項１０】
パターンの位置に対するテーパ幅の値あるいはスロープ値を一緒に出力することを特徴とする請求項８記載の測定値の判定方法。
【請求項１１】
パターンの作成条件、描画条件毎に出力することを特徴とする請求項１０記載の測定値の判定方法。
【発明の詳細な説明】
【技術分野】
【０００１】
本発明は、被測定対象物上のパターンの線幅あるいは線間隔などを測定した測定値の良否を判定する測定値の判定方法に関するものである。
【背景技術】
【０００２】
従来、ウェハ上に微細パターンを転写するマスクに形成された微細パターンの線幅、線間隔などについてＳＥＭ（走査型電子顕微鏡）による自動測定では、いろいろな原因から測定に失敗することがある。ここで言う失敗は測定した結果の数値は得られるが、何らかの原因でその値が正しくないことを指す。オペレータ不在での自動測定ではその原因が簡単にはわからないことが多い。これは次のような理由によって発生する。
【０００３】
（１）測定値そのものが分散を示すので、正しい値は一定ではないことによる。
（２）何らかの原因によりＳＥＭにおける自動フォーカス合わせの失敗によって、あるいはチャージアップによる画像のずれによって測定値が大幅にずれる場合がある。再度自動フォーカスを試みることによって正しい値がえられることがある。
【０００４】
（３）パターン寸法が予想以上にずれている場合がある。これは測定としては正しく、異常個所としてマークされるべきものである。
【０００５】
これらを自動的に判別し適切な処理ができるかどうかが自動測定装置として要求されている。
【０００６】
ここで対象とする測定はパターンのある場所を、ある方向（たとえばＸ方向やＹ方向など）に沿って測った長さ（幅）である。パターンは、有限幅を有する線（線と線の間隙も含む、ライン、あるいはスペースと称す）、有限の面積を占める矩形パターン（通常この技術分野ではコンタクトホール、あるいはドットと称す）を基本とている。複雑な形状のパターンの場合には特定の線に沿ったパターンの幅になる。コンタクトホールの場合は面積を測定することも含まれる。
【０００７】
測定したいパターンのＳＥＭ画像から指定方向に沿った信号強度分布を抽出し、この信号強度分布からパターンの両端エッジを検出して幅を求める。
【０００８】
このときエッジの位置を決定する方法には幾つかある。
（１）閾値法：エッジ近傍の強度分布を規格化し極小と極大の間を１としたとき閾値ｘ(１．０≧ｘ≧０）を持つ強度の点をエッジ位置とする。
【０００９】
（２）直線回帰法：エッジ近傍の部分的強度分布と極小点近傍の部分的強度分布で、それぞれの回帰直線を求め、その交点をエッジ位置とする。
【００１０】
（３）ピーク法：エッジ近傍の強度分布のピーク位置を仮のエッジとして線幅をもとめ、校正によって補正する。
【００１１】
（４）その他（複合） エッジ強度分布を関数近似し、閾値法と組み合わせてエッジ位置を決めるなどの種々の方法がある。
【発明の開示】
【発明が解決しようとする課題】
【００１２】
上述した（１）から（３）の方法で測定された寸法が正しいか否かの判定はこれまで次のような方法で行われていた。
【００１３】
（ａ）測定対象の画像を人が見て測定が正しく行われたか否かを判定する。（自動化は不可能）．
（ｂ）期待される寸法を中心とした測定値のある範囲を設定し、この範囲外のものを測定の失敗とみなしていた（自動化可能）。
【００１４】
しかし、（ａ）の方法の場合には、自動化ができないだけでなく、判定者による個人差などを排除できないという問題があった。
【００１５】
また、（ｂ）の方法の場合には、自動化は可能であり、一定の判断基準が適用され、客観的なデータが得られる。しかし、測定対象のもつ分散、あるいはプロセスバイアスなど系統的な変化などに対しては単純な範囲設定では対応できないという問題があった。
【課題を解決するための手段】
【００１６】
本発明は、これらの問題を解決するため、パターンの線幅などの測定値の判定の良否を測定値自体によらず、パターンのエッジ部分の信号強度分布のテーパ幅が所定範囲内のときに正しい測定値と判定するようにしている。
【００１７】
従って、画像撮影時の焦点合わせの不良による画像の不明瞭、更にチャージによる画像ドリフトによる画像の不明瞭などによる、パターンの線幅などの測定不良を自動判定することが可能となる。
【発明の効果】
【００１８】
本願発明は、画像撮影時の焦点合わせの不良による画像の不明瞭、更にチャージによる画像ドリフトによる画像の不明瞭などによる、パターンの線幅などの測定不良を自動判定できる。
【発明を実施するための最良の形態】
【００１９】
本発明は、パターンの線幅などの測定値の判定の良否を測定値自体によらず、パターンのエッジ部分の信号強度分布のテーパ幅が所定範囲内のときに正しい測定値と判定し、画像撮影時の焦点合わせの不良による画像の不明瞭、更にチャージによる画像ドリフトによる画像の不明瞭などによる、パターンの線幅などの測定不良を自動判定することを実現した。
【実施例１】
【００２０】
図１は、本発明のシステム構成図を示す。
図１において、画像取得装置１は、画像を取得するものであって、例えば加速された電子線ビームスポットを被測定サンプル２上に走査（Ｘ走査、Ｙ走査）し、そのときに当該被測定サンプル２から放出された２次電子を収集して画像を生成するものであり、走査型電子顕微鏡（ＳＥＭ）などである。
【００２１】
被測定サンプル２は、パターンが形成されて当該パターンの線幅、線間隔、ホール寸法などを測定する対象のサンプル（例えばフォトマスク）である。
【００２２】
走査系３は、画像取得装置１である例えば走査型電子顕微鏡で加速された電子線ビームスポットを、被測定サンプル２上でＸ走査、Ｙ走査するものであって、走査偏向系である。
【００２３】
信号アンプ４は、被測定サンプル２上を電子線ビームスポットで走査したときに放出された２次信号などを収集して増幅するものである。
【００２４】
画像５は、信号アンプ４で増幅されたアナログの信号（画像信号）をＡ／Ｄ変換器でデジタルの画像に変換してメモリに記憶できるようにしたものである。
【００２５】
コンピュータ６は、デジタルの画像５を取り込んで画像処理し、ここでは、被測定サンプル２のパターンの線幅、線間隔などを測定およびその測定値が正しいか否かを判定するものであって、測定パラメータ設定手段７、画像取得手段８、測定手段９、測定結果ファイル１０、入力装置１１、および表示装置１２などから構成されるものである。
【００２６】
測定パラメータ設定手段７は、被測定サンプル２上のパターンの線幅などを測定するための各種パラメータを設定するものであって、ここでは、例えば図６で後述する
（１）測定点座標：（ｘ，ｙ）
（２）測定種別：  
・ライン
・スペース
・ホール
・ドット
・その他
（３）測定ボックス：
（４）テンプレート：
（５）その他：
を設定するものである。
【００２７】
画像取得手段８は、画像取得装置１を制御し被測定サンプル２の該当場所のデジタルの画像５を取得するものである。
【００２８】
測定手段９は、画像取得手段８で取得したデジタルの画像をもとに、パターンの線幅、線間隔などの値を測定すると共に、当該測定時のエッジ部分のテーパ幅を求めて所定範囲内のときに測定値が正しい、所定範囲外のときに測定値が不良の旨を判定するものである（図２から図８を用いて後述する）。
【００２９】
測定結果ファイル１０は、画像５をもとに指定されたパターンの線幅、線間隔などの測定値およびテーパ幅をもとに判定した測定値の正否を格納するものである（図５参照）。
【００３０】
入力装置１１は、各種指示やデータを入力するものであって、例えばキーボードやマウスなどである。
【００３１】
表示装置１２は、画像、測定結果などを表示する表示装置である。
次に、図２のフローチャートの順番に従い、図１の構成の全体の動作を詳細に説明する。
【００３２】
図２は、本発明の動作説明フローチャート（全体）を示す。
図２において、Ｓ１は、  準備：測定ジョブの入力とサンプルのロードを行う。これは、被測定サンプル２上のパターンの測定ジョブとして、
（１）測定点座標：（ｘ，ｙ）
（２）測定種別：  
・ライン
・スペース
・ホール
・ドット
・その他
（３）測定ボックス：
（４）テンプレート：
を指定入力、および被測定サンプル２を画像取得装置１にロード（装着）する。ここで、（１）測定点座標は被測定サンプル２上の測定する対象となるパターンの位置の座標（Ｘ，Ｙ）（被測定サンプル２上の座標、あるいはＣＡＤデータ上の測定対象のパターンの位置（点））である。（２）測定種別は（１）で指定された測定点座標に対する、ライン（線幅）、スペース（線と線の間隔）、ホール（矩形の内側の相対する辺間の距離）、ドット（矩形の外側の相対する辺間の距離）である。（３）測定ボックスは、矩形内について所定本数のライン（線幅）を測定するための当該矩形（測定ボックス）である。（４）テンプレート（ビットマップ）は、ＣＡＤ上の測定対象のパターンについて、画像上でパターンマッチングして一致したパターンについて測定するためのテンプレートである。
【００３３】
Ｓ２は、グローバルアライメントを行う。これは、画像取得装置１にロードした被測定サンプル２の画像上の複数のアライメントマークをもとに当該画像の座標系と、ＣＡＤデータ上の座標系との変換式（行列式）を決定するものである。以降は、通常、ＣＡＤデータ上の測定対象のパターンの位置（中心位置）、測定種別などに従い当該ＣＡＤデータ上の位置などの座標を、変換式で画像上の座標系に変換してステージを移動させて所定の位置に被測定サンプル２を移動させて画像を取得などする。
【００３４】
Ｓ３は、第１の測定点へ移動する。これは、Ｓ１で指定された第１の測定点へ移動する。具体的には、指定されたＣＡＤデータ上の第１の測定点を、行列式で画像上の測定点に変換して当該変換した測定点がほぼ画像の中央に位置するように画像取得装置１の図示外のステージ（Ｘ，Ｙ）で被測定サンプル２を移動する。
【００３５】
Ｓ４は、画像取得する。これは、画像取得装置１の走査系３が電子線ビームスポットで被測定サンプル２を面走査してそのときに放出された２次電子信号を信号アンプ４で検出・増幅し、更に、デジタルの画像５を生成し、コンピュータ６の画像取得手段８がデジタルの当該画像を取り込む。
【００３６】
Ｓ５は、画像取得の先行か測定か判別する。画像取得が先行の場合には、Ｓ１０に進む。測定が先行の場合には、Ｓ６に進む。
【００３７】
Ｓ１０は、画像取得が先行と判明（予め指定されていると判明）したので、次の測定点があるか判別し、有りのときはＳ９で次の測定点へ移動し、Ｓ４以降を繰り返し、無しのときはＳ１１で測定実行（図３で後述）し、Ｓ１２で次の画像があるか判別し、有りのときはＳ１１を繰り返し、無しのときはＳ１３で後処理で結果出力とサンプルアンロード（被測定サンプル２を画像取得装置１から外部に排出）する。
【００３８】
Ｓ６は、測定が先行と判明（予め指定されていると判明）したので、測定実行（図３で後述）し、Ｓ７で次の測定点があるか判別し、有りのときはＳ９で次の測定点へ移動し、Ｓ４以降を繰り返し、無しのときはＳ８で後処理で結果出力とサンプルアンロード（被測定サンプル２を画像取得装置１から外部に排出）する。
【００３９】
以上のようにして、測定ジョブ（（１）から（４）のパラメータ）を設定、被測定サンプル２をロードし、当該被測定サンプル２の複数のアライメントマークの画像をもとに画像の座標系と、ＣＡＤデータの座標系とを変換する行列式を求めた後、指定された測定点に移動して画像を取得し当該画像をもとに測定点の位置のエッジ位置を求めると共にテーパ幅を求めて当該テーパ幅が所定範囲内に入ったときにエッジ位置から算出した線幅などの測定値が正しいと判定し、これら測定結果（測定値と当該測定値が正しい、不良の区別）を自動的に出力することが可能となる。以下順次詳細に説明する。
【００４０】
図３は、本発明の動作説明フローチャート（測定）を示す。これは、既述した図２のＳ６、Ｓ１１の測定実行の詳細フローチャートを示す。
【００４１】
図３において、Ｓ２１は、測定対象の画像データ、および測定条件を読み出す。これは、図１の画像取得手段８が画像データ（画像５）を読み出すと共に、入力（指定）された測定条件（既述した（１）から（４）の測定条件）を読み出す。
【００４２】
Ｓ２２は、測定条件に従って画像データから信号強度分布を読み出す。これは、Ｓ２１で読み出した測定条件のうちの、例えば指定された測定点を通るラインの信号強度分布を読み出す（図４の（ａ−２）信号強度分布を参照）。
【００４３】
Ｓ２３は、測定条件で指定された測定範囲内で信号強度分布上のエッジ位置を求める。これは、例えば図４の（ａ−３）のエッジ部分の画像上で、最大ピークＰ１の値ｘｐ１と最小ピークＰ２の値ｘｐ１との間の値ｘｅ（＝（ｘｐ１−ｘｐ２）／２）をエッジ位置として求める。
【００４４】
Ｓ２４は、エッジ位置を含む信号強度分布上のテーパ幅を求める。これは、例えば図４の（ａ−３）ののエッジ部分の画像上で、最大ピークＰ１の値ｘｐ１と最小ピークＰ２の値ｘｐ１との差をテーパ幅ｘｔ（＝ｘｐ１−ｘｐ２）として求める。
【００４５】
Ｓ２５は、テーパ幅をあらかじめ設定された参照値と比較し、比較結果は「ＯＫ」あるいは「ＮＧ」など符号化し、寸法測定値などと共通の測定結果ファイルに保存する。これは、Ｓ２４で求めたテーパ幅ｘｔが予め実験で求めた、例えば図４の（ｃ）のテーパ幅２２ｎｍ〜３３ｎｍの範囲内に入るときはＯＫ、範囲内に入らないときはＮＧと判定し、Ｓ２３で求めたエッジ位置から算出した線幅と一緒にして後述する図５の（ａ）の測定結果ファイルに保存する。
【００４６】
Ｓ２６は、比較判定の結果は測定結果とともに表示出力する。例えば後述する図５の（ｂ）に示すように、測定結果（線幅などの測定値）と判定（ＯＫあるいはＮＧ）を一緒に表示する。
【００４７】
以上によって、測定対象の画像および測定条件をもとに、信号強度分布を生成し（図４の（ａ−２））、当該信号強度分布上でエッジ部分の最大ピークＰ１と最小ピークＰ２を求めてこれらからエッジ位置ｘｅ，およびテーパ幅を求め、当該テーパ幅が予め設定した所定範囲内に入るときはＯＫ、入らないときはＮＧと判定し、エッジ位置から求めた線幅などの測定値と判定結果を一緒にして保存、表示することが自動的に可能となる。
【００４８】
図４は、本発明の説明図（その１）を示す。
図４の（ａ−１）は被測定サンプル２上のパターンの例を示す。これは、図１の被測定サンプル２上に形成されたパターンの例であって、ここでは、基板上に形成された凸状のパターン（手前から向こう側に向かうライン（線）を横切るパターン）を示す。
【００４９】
図４の（ａ−２）は図４の（ａ−１）のパターンの信号強度分布の正常時の波形の例を示す。ここでは、加速された電子線ビームスポットで図４の（ａ−１）のパターンを左右方向に走査してそのときに放出された２次電子を収集・検出・増幅して生成した画像５のうちの、図４の（ａ−１）のパターンに対応する部分の信号強度分布であって、パターンのエッジ部分で上方向の最大ピークＰ１と下方向の最小ピークＰ２とが図示のように表れる分布となる（パターンから放出された２次電子検出による特有の周知の分布となる）。この場合には、電子ビームスポットがパターン上に正確にフォーカスされ、かつ電子ビームスポットを左右方向に走査しているときにドリフトが発生していない場合のものであって、後述する測定値の判定がＯＫとなる場合である。このとき、パターンの左側のエッジ部分を拡大すると、図４の（ｂ）に示す信号強度分布となる。
【００５０】
図４の（ａ−３）は図４の（ａ−１）のパターンで、焦点ずれによる信号分布の変化の例を示す。この場合には、電子ビームスポットが焦点ずれしており、大きなサイズで図４の（ａ−１）のパターンを左右方向に走査し、そのときに放出された２次電子を収集・検出・増幅して生成した画像５のうちの、図４の（ａ−１）のパターンに対応する部分の信号強度分布であって、パターンのエッジ部分の上方向の最大ピークＰ１と下方向の最小ピークＰ２とがなだらか、かつその位置がずれており（その結果、測定値が不正確となる場合であって）、焦点すれしている様子が判る信号強度分布である。この場合には、後述する図４の（ｃ）のテーパ幅が所定範囲外となり、測定値がＮＧと判定される場合の信号強度分布の例を示す。
【００５１】
図４の（ｂ）は、エッジ部分の拡大図を示す。これは、図４の（ａ−２）の信号強度分布の左側のエッジ部分の拡大図を示す。ここで、最大ピークＰ１の位置をｘｐ１，最小ピークＰ２の位置をｘｐ２とすると、
・エッジ位置ｘｅ＝（ｘｐ１−ｘｐ２）／２
・テーパ幅＝（ｘｐ１−ｘｐ２）
と定義する。同様に、図４の（ａ−２）の右側のエッジ部分についても、エッジ位置とテーパ幅を測定する。そして、パターンの幅（線幅）は２つのエッジ位置の間隔（差）であり、テーパ幅は左側および右側の２つのテーパ幅となる。
【００５２】
図４の（ｃ）は、ラインエッジテーパ幅の分布例を示す。これは、フォトマスク上のラインパターンを実際に計測し、エッジのテーパ幅を求めてプロットした例であって、ライン幅１６０ｎｍ〜６００ｎｍで合計９００本のラインを測定したものであり、最大ピークＰ１と最小ピークＰ２の位置の差（間隔）である。この図４の（ｃ）から判明するように、テーパ幅は２２ｎｍ〜３３ｎｍの範囲、ほぼ±５ｎｍの範囲に入っている。図中の３点のみがこの範囲外にでており、これらの点の測定値は、焦点ずれ、あるいはドリフトによるエッジ部分のボケ（図４の（ａ−３）参照）による当該エッジ部分の信号強度分布の変化（ずれ）によるものである。
【００５３】
従って、測定値自身により当該測定値の良否を判定するのではなく、エッジ部分のテーパ幅が所定範囲内（図４の（ｃ）の例では、２２ｎｍ〜３３ｎｍの範囲内）のときに焦点ずれがなく、更に、ドリフトがなく正常な信号強度分布と判定でき、そのときのエッジ位置をもとに算出した測定値が正常ＯＫと判定できることとなる。
【００５４】
図５は、本発明のファイル／表示例を示す。
図５の（ａ）は、測定結果ファイルの例を示す。これは、既述した図３のＳ２５で測定結果および判定結果を保存する測定結果ファイル１０であって、図示の下記の情報を対応づけて保存するものである。
【００５５】
・サンプルＮｏ：
・種別：
・測定点：
・Ｘ
・Ｙ
・測定値Ｗｔ：
・テーパ幅：
・左Ｗｔ（Ｌ）  
・右Ｗｔ（Ｒ）
・判定（ＯＫあるいはＮＧ）
・その他：
ここで、サンプルＮｏは被測定サンプル２の一意の番号である。種別は測定種別であって、ライン、スペース、ホール、ドットなどである。測定点は測定指示する点（座標）である。測定値Ｗｔは測定した線幅、線間隔などの測定値である。テーパ幅はエッジ部分のテーパ幅（図４の（ｂ）参照）である。判定はテーパ幅が所定範囲内のときにＯＫ、所定範囲外のときにＮＧとして設定したものである。
【００５６】
図５の（ｂ）は、結果の表示例を示す。これは、図５の（ａ）の測定結果ファイル１０に保存された結果の表示例であって、ここでは、サンプルＮｏ，測定値、判定を対応づけてリスト表示する。
【００５７】
以上のように、測定値に対応づけて判定（テーパ幅による判定）を併せて表示することにより、測定値について当該測定値自身ではなく、焦点ずれあるいはドリフトによりテーパ幅が変化して所定範囲外となったときに当該測定値をＮＧと判定して表示することが可能となる。
【００５８】
図６は、本発明の説明図（その２）を示す。
図６の（ａ）は、測定点の指定例を示す。ここでは、被測定サンプル２上の測定点を指定した様子を示す（ＣＡＤデータ上で指定）。
【００５９】
図６の（ｂ）は、図６の（ａ）で指定された点を拡大した様子を示す。ここでは、配線の線の幅を測定する点（点とライン）を指定したものである。また、下方に、線と線との間隔を指定する点（点とスペース）の例を示す。
【００６０】
図６の（ｃ）は、図６の（ａ）で指定された点を拡大した様子を示す。ここでは、矩形内に指定した複数本の線の幅を測定する点（点とボックス（幅と高さ））を指定したものである。
【００６１】
図６の（ｄ）は、図６の（ａ）で指定された点を拡大した様子を示す。ここでは、矩形内の縦と横の幅を測定する点（点とホール）を指定したものである。
【００６２】
図６の（ｅ）は、図６の（ａ）で指定された点を拡大した様子を示す。ここでは、矩形外の縦と横の幅を測定する点（点とドット）を指定したものである。
【００６３】
図７は、本発明の説明図（その３）を示す。
図７の（ａ）は、テーパ幅とエッジ位置の例を示す。これは、既述した図４の（ｂ）と同じものであって、パターンの左側のエッジ部分の信号強度波形の例であり、最大ピークＰ１の位置と最小ピークＰ２の位置との間隔がテーパ幅Ｗｔであり、最大ピークＰ１の位置と最小ピークＰ２の位置との中間点（直線近似してｔｈｒ（閾値）が０．５の点）の位置がエッジ位置ｘｔである。
【００６４】
図７の（ｂ）は、ｔｈｒ（閾値）とそのときの幅（測定値）の例を示す。パターンの左側のエッジ部分と、右側のエッジ部分とで図示のｔｈｒ（閾値）＝０．２、０．５，０．８の場合のそれぞれの線幅Ｗ０．２，Ｗ０．５，Ｗ０．８を示す。いずれの線幅を採用するかは、実験でパターンの線幅を測定して決定する。通常は、ｔｈｒ＝０．５のときの測定値（線幅）Ｗ０．５を使用する。
【００６５】
図７の（ｃ）は、ボックスの測定例を示す。点とボックス（縦と横のサイズ）で図示のような矩形が指定されたとすると、当該指定された矩形内について指定された本数（例えば１０本）のライン（例えば等間隔のライン）について、それぞれ線幅（例えば図７の（ｂ）のｔｈｒ（閾値）＝０．５のときのＷ０．５）を測定する。
【００６６】
図７の（ｄ）は、テーパ幅例を示す。ここでは、パターンの左側のエッジ部分と、右側のエッジ部分とのｔｈｒ（閾値）＝０．２、０．５、０．８の値Ｗ０．２、Ｗ０．５、Ｗ０．８をそれぞれ測定する。そして、
・テーパ幅＝（Ｗ０．８−Ｗ０．２）／２
・測定値（線幅）＝Ｗ０．５
とする。
【００６７】
以上のようにして、異なる３つのｔｈｒ（閾値）のときのパターンの左側と右側のエッジ部分の間の値（距離）を測定し、これらから上述したように、テーパ幅、測定値（線Ｈ幅など）を算出することが可能となる。
【００６８】
図８は、本発明の説明図（その４）を示す。これは、直線回帰法を説明するものであって、パターンの左側のエッジ部分の信号強度分布を例に抽出したものであって、エッジ部分の最大ピークＰ１と最小ピークＰ２の間のデータを
データｉ（ｎ）＝ｉ（ｘｎ）
として所定個数抽出する。そして、α（ｘ−ｘ０）となる係数α、ｘ０を公知の最小自乗法で決める。そして、
Ｉｐ１＝α（ｘｐ１−ｘ０）
Ｉｐ２＝α（ｘｐ２−ｘ０）
Ｉｔ＝ｔｈｒ（Ｉｐ１−Ｉｐ２）＋Ｉｐ２＝α（ｘｔ−ｘ０）
と表されるので、このうちのｘｔを求め、当該ｘｔ（エッジ位置）をもとに線幅などの測定値を算出する。
【００６９】
また、テーパ幅＝｜ｘｐ１−ｘｐ２｜として算出する。
図９は、本発明の説明図（スロープ値）を示す。
図９において、横軸はパターンの線幅を測定するための所定の閾値を表し、縦軸はパターンの線幅（閾値間の線幅）表す。スロープ値は、閾値を変えたときの線幅をプロットした線分（スロープを持つ線分）であって、閾値が大きくなるに従いパターンの線幅が狭くなることが判明する。ここで、測長するＳＥＭのビームスポットの焦点が被測定試料（例えばマスク上の測定対象のパターン）に合っている状態では、図示の下段のスロープ値となってスロープの全体が小さくなる。一方、焦点ズレの場合には、図示の上段のスロープ値となってスロープの全体が大きくなる。
従って、閾値を変えたときの線幅を図９のようにプロットすることで、焦点が合っている、あるいは焦点があっていない（焦点ズレ）を判り易く表示すると共に、焦点の合っているあるいは合っていない状態を予め実験で求めた値と比較し自動判定することが可能となる。
図１０は、本発明の説明図（テーパ幅）を示す。
図１０において、横軸はパターンの測定位置を表し、縦軸はテーパ幅を表す。図示のプロットは、パターンの測定位置に対応づけてテーパ幅（例えば既述した図７参照）をプロットした様子を示す。テーパ幅が所定の範囲内（実験で予め求めた正常とする範囲内）を正しい測定データと判定し、それ以外を正しくない測定データと判定する。
従って、パターンの測定位置に対応づけてテーパ幅を図１０のようにプロットし、所定の範囲内のときに正しい測定データと判定し、それ以外を正しくない測定データを自動的に判定することが可能となる。
図１１は、本発明の説明図（スロープ値）を示す。スロープ値は、任意の閾値２点におけるパターンの線幅の値の差を閾値で除算した値であって、例えば下記の式で求める（閾値０．９、０．１などは任意の値でよいが、ここでは、例として０．９と０．１を用いる）。
スロープ値＝（（閾値０．９のときのパターン幅）−（閾値０．１のときのパターン幅））／（０．９−０．１）
スロープ値は、マスクのパターン上に照射するビームスポットの焦点がずれてくると、スロープ値が大きくなる（図９の焦点があっている状態から焦点ズレの状態のようにスロープ値が大きくなる）。スロープ値は、焦点ズレの他に、測定対象のマスクのパターンの形成時の電子ビームの描画条件でも異なってくるので、当該影響をも併せて評価できる。
図１１の（ａ）は、パターンの測定位置に対応づけてスロープ位置をプロットした１例を示す。ここで、スロープ値について測定データが図示の点線の設定値（実験で求めた値）の範囲内のときに正しいと判定し、範囲外のときに異常と自動判定できる。
図１１の（ｂ）は、描画露光量の小さい場合と大きい場合のスロープ値をプロットした例を示す。図中の上段のスロープ値は、パターンの描画時の露光量が大きいときの測定値に対するスロープ値をプロットしたものであり、設定値範囲内を正しい測定データと判定し、設定値範囲外を正しくない測定データと判定する。また、図中の下段のスロープ値は、パターンの描画時の露光量が小さいときの測定値に対するスロープ値をプロットしたものであり、設定値範囲内を正しい測定データと判定し、設定値範囲外を正しくない測定データと判定する。
以上のように、スロープ値は、パターンの描画時の条件（描画条件）、ここでは、描画時の電子ビームの露光量の大小によってスロープ値の正しい範囲が図示のように異なるので、描画条件などに対応づけた設定値（実験で予め求めた設定値）を設定し、測定データが正しい、正しくないを自動判定することが可能となる。
【産業上の利用可能性】
【００７０】
本発明は、パターンの線幅などの測定値の判定の良否を測定値自体によらず、パターンのエッジ部分の信号強度分布のテーパ幅が所定範囲内のときに正しい測定値と判定する測定値の判定方法に関するものである。
【図面の簡単な説明】
【００７１】
【図１】本発明のシステム構成図である。
【図２】本発明の動作説明フローチャート（全体）である。
【図３】本発明の動作説明フローチャート（測定）である。
【図４】本発明の説明図（その１）である。
【図５】本発明のファイル／表示例である。
【図６】本発明の説明図（その２）である。
【図７】本発明の説明図（その３）である。
【図８】本発明の説明図（その４）である。
【図９】本発明の説明図（スロープ値）である。
【図１０】本発明の説明図（テーパ幅）である。
【図１１】本発明の説明図（スロープ値）である。
【符号の説明】
【００７２】
１：画像取得装置
２：被測定サンプル
３：走査系
４：信号アンプ
５：画像
６：コンピュータ
７：測定パラメータ設定手段
８：画像取得手段
９：測定手段
１０：測定結果ファイル
１１：入力装置
１２：表示装置
【図１】
2006170969.tif 000003
【図２】
2006170969.tif 000004
【図３】
2006170969.tif 000005
【図４】
2006170969.tif 000006
【図５】
2006170969.tif 000007
【図６】
2006170969.tif 000008
【図７】
2006170969.tif 000009
【図８】
2006170969.tif 000010
【図９】
2006170969.tif 000011
【図１０】
2006170969.tif 000012
【図１１】
2006170969.tif 000013